(57)【特許請求の範囲】
【請求項１】
制御部と、コンバータ部とを備え、
制御部は、フィードバック制御部と、演算制御部と、フィードバック制御部に接続された出力制御部と、フィードバック制御部と並列接続された予測制御部と、演算制御部の送信側とフィードバック制御部および予測制御部の受信側とにわたって接続された第１の接続切換部と、フィードバック制御部および予測制御部の送信側と出力制御部の受信側とにわたって接続された第２の接続切換部とを備え、
コンバータ部は、出力制御部に接続された第１のゲート駆動回路および第２のゲート駆動回路と、電源に直列接続された第１のゲート駆動回路および第２のゲート駆動回路の出力側に接続された負荷電流値検出部とを備え、
フィードバック制御部は、受信された調光レベル信号および負荷電流値検出部で検出された負荷電流値に基づいてパルス幅変調率を演算するように制御し、
演算制御部は、受信された調光レベルを判定すると共に、判定された調光レベルに応じて、フィードバック制御部と予測制御部のいずれか一方が演算制御部と接続されるように、第１の接続切換部を切り換え動作させるように制御し、且つフィードバック制御部と予測制御部の内、第１の接続切換部を介して演算制御部と接続されている一方が出力制御部と接続されるように、第２の接続切換部を切り換え動作させるように制御し、
出力制御部は、演算されたパルス幅変調率に基づいて第１の矩形波を生成すると共に、第１の矩形波におけるオン領域に対して時間軸で同幅のオフ領域および第１の矩形波におけるオフ領域に対して時間軸で同幅のオン領域を有する第２の矩形波とを生成し、且つ第１の矩形波と第２の矩形波における互いのオン領域とオフ領域とが時間軸で合致するタイミングで、第１の矩形波と第２の矩形波の一方を第１のゲート駆動回路にパルス幅変調信号として送信し、他方を第２のゲート駆動回路にパルス幅変調信号として送信し、さらに予測制御部と接続されているときにのみ、第１のゲート駆動回路と第２のゲート駆動回路のいずれか一方へのパルス幅変調信号の出力を遮断するように制御することを特徴とするＬＥＤ駆動装置。
【請求項２】
電源に電圧検出部が接続されており、電圧検出部は、予測制御部に接続され、予測制御
部は、受信した調光レベル信号と、電圧検出部で検出された電源電圧値と、あらかじめ設
定された目的の負荷電流値とに基づいて、パルス変調率を予測計算するように制御するこ
とを特徴とする請求項１に記載のＬＥＤ駆動装置。
【請求項３】
電源回路における負荷電流値検出部の下流側に平滑回路が接続されており、平滑回路は
、インダクタが接続されていると共に、インダクタの下流側に平滑コンデンサが接続され
ていることを特徴とする請求項１又は請求項２に記載のＬＥＤ駆動装置。
【発明の詳細な説明】
【技術分野】
【０００１】
本発明は、発光ダイオード「ＬＥＤ」を発光させるためのＬＥＤ駆動装置に関する。
【背景技術】
【０００２】
ＬＥＤを光源とする照明装置は、劇場の舞台、テレビスタジオ、競技場等での演出照明や各種ディスプレイの照明、室内のダウンライト等に広く用いられている。
【０００３】
この照明装置は、特許文献１に記載されているように、ＬＥＤ駆動装置に組み込まれたパルス幅変調器、ＡＮＤゲート、増幅器等による調光が行われ、入力される高周波数のＰＷＭ信号で定電流制御を行い、低周波数のＰＷＭ信号で調光制御を行うことで広範囲の調光を行っていた。
【先行技術文献】
【特許文献】
【０００４】
【特許文献１】特許第４９０１１０４号公報
【発明の概要】
【発明が解決しようとする課題】
【０００５】
特許文献１に記載の発明のような従来のＬＥＤ駆動装置では、ＰＷＭ信号による定電流制御であるため、オンとオフとが繰り返されるスイッチングに伴う光出力において、ＬＥＤが点滅を繰り返すことになる。
スイッチングおよびＬＥＤの点滅は高速であるため、肉眼ではＬＥＤの点滅が視認できないが、ビデオカメラ等によって撮影した場合に、ＬＥＤの点滅が映像として表われてしまい、撮られた映像に悪影響をおよぼしてしまう可能性があった。
このため、撮られる映像に対する悪影響を抑制できる新規なＬＥＤ駆動装置が求められていた。
【課題を解決するための手段】
【０００６】
前述の課題を解決するために、本発明によるＬＥＤ駆動装置は、制御部と、コンバータ部とを備え、制御部は、フィードバック制御部と、演算制御部と、フィードバック制御部に接続された出力制御部と、フィードバック制御部と並列接続された予測制御部と、演算制御部の送信側とフィードバック制御部および予測制御部の受信側とにわたって接続された第１の接続切換部と、フィードバック制御部および予測制御部の送信側と出力制御部の受信側とにわたって接続された第２の接続切換部とを備え、コンバータ部は、出力制御部に接続された第１のゲート駆動回路および第２のゲート駆動回路と、電源に直列接続された第１のゲート駆動回路および第２のゲート駆動回路の出力側に接続された負荷電流値検出部とを備え、フィードバック制御部は、受信された調光レベル信号および負荷電流値検出部で検出された負荷電流値に基づいてパルス幅変調率を演算するように制御し、演算制御部は、受信された調光レベルを判定すると共に、判定された調光レベルに応じて、フィードバック制御部と予測制御部のいずれか一方が演算制御部と接続されるように、第１の接続切換部を切り換え動作させるように制御し、且つフィードバック制御部と予測制御部の内、第１の接続切換部を介して演算制御部と接続されている一方が出力制御部と接続されるように、第２の接続切換部を切り換え動作させるように制御し、出力制御部は、演算されたパルス幅変調率に基づいて第１の矩形波を生成すると共に、第１の矩形波におけるオン領域に対して時間軸で同幅のオフ領域および第１の矩形波におけるオフ領域に対して時間軸で同幅のオン領域を有する第２の矩形波とを生成し、且つ第１の矩形波と第２の矩形波における互いのオン領域とオフ領域とが時間軸で合致するタイミングで、第１の矩形波と第２の矩形波の一方を第１のゲート駆動回路にパルス幅変調信号として送信し、他方を第２のゲート駆動回路にパルス幅変調信号として送信し、さらに予測制御部と接続されているときにのみ、第１のゲート駆動回路と第２のゲート駆動回路のいずれか一方へのパルス幅変調信号の出力を遮断するように制御することを特徴とする。
【図面の簡単な説明】
【０００７】
【図１】（ａ）は、本発明に係る実施形態のＬＥＤ駆動装置の構成図であり、電流連続モードでの駆動状態を示し、（ｂ）は、電流連続モードにおけるＬＥＤ駆動状態での矩形パルス波形図である。
【図２】電流連続モードにおけるＬＥＤ駆動状態でのデューティー比が異なる矩形パルス波形図である。
【図３】（ａ）は、本発明に係る実施形態のＬＥＤ駆動装置の構成図であり、電流不連続モードでの駆動状態を示し、（ｂ）は、電流不連続モードにおけるＬＥＤ駆動状態でのパルス波形図である。
【図４】電流連続モードでの平滑回路における平滑状態を示す波形図であり、（ａ）は、インダクタ通過後の波形を示し、（ｂ）は、平滑コンデンサからの電流印加後の波形を示す。
【図５】電流不連続モードでの平滑回路における平滑状態を示す波形図であり、（ａ）は、インダクタ通過後の波形を示し、（ｂ）は、平滑コンデンサからの電流印加後の波形を示す。
【発明を実施するための形態】
【０００８】
以下、本発明に係る実施形態のＬＥＤ駆動装置Ａの構成を、図面を参照しながら説明する。以下の説明で、異なる図における同一符号は同一機能の部位を示しており、各図における重複説明は適宜省略する。
【０００９】
［ＬＥＤ駆動装置の構成］
ＬＥＤ駆動装置Ａは、図１（ａ）および図３（ａ）に示すように、制御部１と、コンバータ部２とを備えている。
ＬＥＤ駆動装置Ａは、制御部１が、入力されるＤＭＸ等の調光制御信号に基づいて矩形波を生成し、生成された矩形波をパルス幅変調信号（以下「ＰＷＭ信号」という）としてコンバータ部２に出力し、このＰＷＭ信号によりコンバータ部２を駆動させることによって、複数のＬＥＤ３０を有するＬＥＤ照明器具３の調光制御を行うものである。
【００１０】
［制御部の構成］  
制御部１は、図１（ａ）および図３（ａ）に示すように、通信部１０ａと、演算制御部１ａ、フィードバック制御部１ｂと、予測制御部１ｄと、出力制御部１ｃとを備えている。
通信部１０ａは、調光制御信号を送信する調光卓（図示せず）と相互通信自在に接続されていると共に、演算制御部１ａに接続されており、受信した調光制御信号を演算制御部１ａに送信するように制御されている。
【００１１】
演算制御部１ａは、図１（ａ）示すように、フィードバック制御部１ｂおよび予測制御部１ｄと第１の接続切換部１ｅを介して接続されている。
フィードバック制御部１ｂおよび予測制御部１ｄは、図１（ａ）におよび図３（ａ）に示すように、出力制御部１ｃと第２の接続切換部１ｆを介して接続されている。
【００１２】
フィードバック制御部１ｂと予測制御部１ｄとは、図１（ａ）および図３（ａ）に示すように、並列して配置されており、演算制御部１ａによる第１の接続切換部１ｅに対する接続切り換え制御によって、演算制御部１ａとフィードバック制御部１ｂとの接続と、演算制御部１ａと予測制御部１ｄの接続とに切換わるようにされている。
第２の接続切換部１ｆも同様に、演算制御部１ａによる第２の接続切換部１ｆに対する接続切り換え制御によって、フィードバック制御部１ｂと出力制御部１ｃとの接続と、予測制御部１ｄと出力制御部１ｃとの接続とに切換わるようにされている。
また、第２の接続切換部１ｆは、フィードバック制御部１ｂと予測制御部１ｄの内、演算制御部１ａと接続している一方側と出力制御部１ｃとが接続されるように制御されている。
【００１３】
出力制御部１ｃは、図１（ａ）および図３（ａ）に示すように、コンバータ部２における後述する第１のゲート駆動回路２ａと第２のゲート駆動回路２ｂとに夫々接続されている。
出力制御部１ｃは、図１（ａ）に示すように、フィードバック制御部１ｂが演算制御部１ａおよび出力制御部１ｃに接続されている状態では、ＰＷＭ信号を第１のゲート駆動回路２ａと第２のゲート駆動回路２ｂとに送信するように制御している。
一方、図３（ａ）に示すように、予測制御部１ｄが演算制御部１ａおよび出力制御部１ｃに接続されている状態では、ＰＷＭ信号を第１のゲート駆動回路２ａにのみ送信し、ＰＷＭ信号の第２のゲート駆動回路２ｂへの送信を遮断するように制御している。
【００１４】
フィードバック制御部１ｂには、Ａ／Ｄコンバータ（図示せず）が内蔵されており、アナログによる負荷電流値をデジタルによる負荷電流値に変換するように制御している。
Ａ／Ｄコンバータで変換された結果は、短絡等による過電流保護に利用される。
予測制御部１ｄには、Ａ／Ｄコンバータ（図示せず）が内蔵されており、アナログによる直流電圧値をデジタルによる直流電圧値に変換するように制御している。
【００１５】
この制御部１は、複数のコンバータ部２を接続することができ、例えば、ＬＥＤ３０の個数とコンバータ部２の個数を同じとすることで、複数のＬＥＤ３０毎の個別制御を行うことができる。
【００１６】
［コンバータ部の構成］
コンバータ部２は、図１（ａ）および図３（ａ）に示すように、電源Ｅに直列接続された前述の第１のゲート駆動回路２ａおよび第２のゲート駆動回路２ｂを備えている。
第１のゲート駆動回路２ａおよび第２のゲート駆動回路２ｂの出力側には、ＬＥＤ照明器具３が接続され、コンバータ部２でＡＣ／ＤＣ変換された直流電力によって、複数のＬＥＤ３０を駆動する。
【００１７】
第１のゲート駆動回路２ａおよび第２のゲート駆動回路２ｂは、図１（ａ）および図３（ａ）に示すように、夫々出力制御部１ｃに接続された第１のゲート回路２０ａおよび第２のゲート回路２０ｂと、ゲート回路２０ａ、２０ｂに夫々接続された第１のスイッチング素子２１ａおよび第２のスイッチング素子２１ｂとを備えている。
第１のスイッチング素子２１ａおよび第２のスイッチング素子２１ｂは、ＮチャネルのＭＯＳトランジスタが用いられている。
【００１８】
ＡＣ／ＤＣ変換された直流電力は、図１（ａ）および図３（ａ）に示すように、第１のスイッチング素子２１ａのソース側と、第２のスイッチング素子２１ｂのドレイン側との間の出力側からＬＥＤ照明器具３にわたるように配置された平滑回路２０ｃによって平滑にされて、ＬＥＤ照明器具３へと供給される。
【００１９】
図１（ａ）および図３（ａ）に示すように、第１のゲート駆動回路２ａおよび第２のゲート駆動回路２ｂの出力側２ｃには、負荷電流値検出部２ｄが接続されており、この負荷電流値検出部２ｄは、フィードバック制御部１ｂに接続されている。
負荷電流値検出部２ｄは、フィードバック制御部１ｂによって、ＬＥＤ照明器具３を駆動している現在の負荷電流値を検出すると共に、検出された負荷電流値をフィードバック制御部１ｂに出力させるように制御されている。
【００２０】
図１（ａ）および図３（ａ）に示すように、電源Ｅの第１のスイッチング素子２１ａのドレイン側には、電源Ｅの電圧値を検出する電圧検出部２０ｄが接続されており、この電圧検出部２０ｄが予測制御部１ｄに接続されている。
電圧検出部２０ｄは、予測制御部１ｄによって、電源Ｅの直流電圧値を検出すると共に、検出された直流電圧値を予測制御部１ｄに出力させるように制御されている。
【００２１】
平滑回路２０ｃは、上流側にインダクタ２ｅが接続され、平滑コンデンサ２ｆは、インダクタ２ｅの下流側に接続されており、図４（ａ)（ｂ）および図５（ａ)（ｂ）に示すように、インダクタ２ｅによって、直流出力に含まれる交流成分を流さないようにし、平滑コンデンサ２ｆによって、インダクタ２ｅを通過した直流電力の脈流を平滑にすることができる。
【００２２】
［ＬＥＤ駆動装置の動作］
次に、前述の構成とするＬＥＤ駆動装置ＡのＬＥＤ駆動動作を図１〜図５を参照して説明する。
本実施形態におけるＬＥＤ駆動装置Ａは、ＬＥＤ駆動中において、後述するように、図１（ａ）に示す＜電流連続モード＞によるＬＥＤ駆動動作と、図３（ａ）に示す＜電流不連続モード＞によるＬＥＤ駆動動作とに切り換え制御される。
電流連続モードから電流不連続モードへの切り換えは、本実施形態では、最大電流（３．５Ａ）の１０％未満の出力となった場合に行われるように制御されるものとして例示しているが、この電流出力値については、任意であり、状況に応じて変更することができる。
以下、電流連続モードと電流不連続モードのＬＥＤ駆動動作および電流連続モードから電流不連続モードへの切り換え動作を説明する。
【００２３】
＜電流連続モード＞
電流連続モードは、調光レベルが、前述の最大電流の１０％以上の電流値でＬＥＤ照明器具３を駆動するレベルである場合に用いられるモードである。
具体的には、演算制御部１ａから送信された調光レベル信号における調光レベルが、最大電流の１０％以上の電流値でＬＥＤ照明器具３を駆動するレベルである場合、図１（ａ）に示すように、演算制御部１ａが、第１の接続切換部１ｅを演算制御部１ａとフィードバック制御部１ｂとを接続状態にすると共に、第２の接続切換部１ｆをフィードバック制御部１ｂと出力制御部１ｃとを接続状態にするように制御する。
【００２４】
フィードバック制御部１ｂでは、受信した調光レベル信号と検出された負荷電流値とに基づいてパルス幅変調率を演算し、この演算結果を出力制御部１ｃに送信するように制御している。
【００２５】
出力制御部１ｃは、受信したパルス幅変調率に基づいたパルス幅の第１の矩形波Ｐａを生成するように制御している（図１（ｂ）における第１のゲート駆動回路２ａ側に示す矩形波）。
また、出力制御部１ｃは、第１の矩形波Ｐａに基づいて第２の矩形波Ｐｂを生成するように制御している（図１（ｂ）における第２のゲート駆動回路２ｂ側に示す矩形波）。
第２の矩形波Ｐｂの生成時には、第１の矩形波Ｐａと第２の矩形波Ｐｂにおける互いのオン領域Ｐａ１、Ｐｂ１とオフ領域Ｐａ２、Ｐｂ２とが、時間軸ｔにおいて同じ幅となるように制御している。
さらに、出力制御部１ｃは、第１の矩形波Ｐａを第１のゲート駆動回路２ａに、第２の矩形波Ｐｂを第２のゲート駆動回路２ｂに、それぞれＰＷＭ信号として送信するように制御している。
出力制御部１ｃのＰＷＭ信号の送信時には、第１の矩形波Ｐａと第２の矩形波Ｐｂにおける互いのオン領域Ｐａ１、Ｐｂ１とオフ領域Ｐａ２、Ｐｂ２とが、時間軸ｔにおいて合致するタイミングで送信するように制御している。
【００２６】
第２の矩形波Ｐｂを生成するには、例えば、第１の矩形波Ｐａをコピーすると共に、コピーされた矩形波のオン領域Ｐａ１をオフ領域Ｐｂ２に、オフ領域Ｐａ２をオン領域Ｐｂ１にそれぞれ変更する制御により達成できる。
また、送信時において、第１の矩形波Ｐａと第２の矩形波Ｐｂの互いのオン領域Ｐａ１、Ｐｂ１とオフ領域Ｐａ２、Ｐｂ２とを時間軸ｔで合致させるには、第１の矩形波Ｐａのオン領域Ｐａ１と第２矩形波Ｐｂのオフ領域Ｐｂ２とが、時間軸ｔで同じ位置となるタイミングで送信するように調整するタイマ制御により達成できる。
【００２７】
すなわち、電流連続モードでは、第１の矩形波Ｐａと第２の矩形波Ｐｂにおける互いのオン領域Ｐａ１、Ｐｂ１とオフ領域Ｐａ２、Ｐｂ２とが、時間軸ｔにおいて同幅で、且つ合致するタイミングで送信するように制御している。
これにより、図１（ｂ）に示すように、第１のスイッチング素子２１ａがオン状態のときには、第２のスイッチング素子２１ｂがオフ状態となり、第１のスイッチング素子２１ａがオフ状態のときには、第２のスイッチング素子２１ｂがオン状態となるため、第１のスイッチング素子２１ａと第２のスイッチング素子２１ｂとが、前述のタイミングでオン・オフを交互に繰り返すように駆動（同期整流）することになる。
したがって、電流連続モードでは、ＬＥＤ照明器具３への電流を、オフ状態を存在させずに連続的に供給することができるため、点滅のないＬＥＤ照明を実現し、撮られる映像に対する悪影響を抑制でき、しかも、電圧降下による損失を抑え高効率な電力変換を行うことができる。
また、図４（ａ）に示すように鋸歯のような波形となるインダクタ２ｅを通過した直後の電流に、平滑コンデンサ２ｆに貯められた電力を印加することで、図４（ｂ）に示すように、波形が平滑な電流をＬＥＤ照明器具３に供給することができる。
【００２８】
電流連続モードでは、図２に示すようにパルス幅変調率が異なる第１の矩形波Ｐｃおよび第２の矩形波Ｐｄによっても、図１（ｂ）に示す第１の矩形波Ｐａおよび第２の矩形波Ｐｂと同じ作用効果を得ることができる。
また、第２の矩形波Ｐｄを生成する制御、第１の矩形波Ｐａと第２の矩形波Ｐｂの互いのオン領域Ｐｃ１、Ｐｄ１とオフ領域Ｐｃ２、Ｐｄ２とを時間軸ｔで合致させて送信する制御も、第１の矩形波Ｐａおよび第２の矩形波Ｐｂを送信する制御と同じ制御で行うことができる。
【００２９】
＜電流不連続モード＞
電流不連続モードは、調光レベルが、前述の最大電流の１０％未満の電流でＬＥＤ照明器具３を駆動するレベルである場合に用いられるモードである。
通常、最大電流の１０％未満の電流でＬＥＤ照明器具３を駆動するレベルである場合、ノイズや前述のＡＤコンバータの量子化誤差の影響で、正確な電流を検出できず、出力電流を安定させることが困難になる。
電流不連続モードでは、調光レベル信号と、検出された電源電圧値と、あらかじめ設定された目的の電流値とから直接ＰＷＭ変調率を予測演算し、演算結果によるＰＷＭ信号によってコンバータ部２を駆動させることで、安定したＡＣ／ＤＣ変換を行う。
【００３０】
具体的には、演算制御部１ａから送信された調光レベル信号における調光レベルが、最大電流の１０％未満の電流でＬＥＤ照明器具３を駆動するレベルである場合、図３（ａ）に示すように、演算制御部１ａが、第１の接続切換部１ｅを演算制御部１ａと予測制御部１ｄとを接続状態にすると共に、第２の接続切換部１ｆを予測制御部１ｄと出力制御部１ｃとを接続状態にするように制御する。
【００３１】
予測制御部１ｄでは、前述のように、受信した調光レベル信号と、検出された直流電圧値と、あらかじめ設定された目的の電流値とから、直接パルス幅変調率を予測演算し、この演算結果を出力制御部１ｃに送信するように制御している。
【００３２】
出力制御部１ｃでは、図３（ａ）に示すように、受信したパルス幅変調率に基づいたパルス幅の矩形波Ｐｅを生成するように制御している（図３（ｂ）における第１のゲート駆動回路２ａ側に示す矩形波）。
また、出力制御部１ｃは、矩形波ＰｅをＰＷＭ信号として第１のゲート駆動回路２ａにのみ送信し、第２のゲート駆動回路２ｂへの送信を遮断するように制御している。
尚、出力制御部１ｃのＰＷＭ信号の送信制御については、第２のゲート駆動回路２ｂにのみ送信し、第１のゲート駆動回路２ａへの送信を遮断する制御であってもよい。
ＰＷＭ信号が送信された第１のゲート駆動回路２ａは、このＰＷＭ信号に基づいて第１のスイッチング素子２１ａがオン・オフ駆動する。
このとき、第２のスイッチング素子２１ｂは、ダイオードと等価の状態となっており、第２のスイッチング素子２１ｂをダイオードとして動作させることで、インダクタ２ｅに流れる電流が、図５（ａ）に示すように、１周期毎にオフ（０Ａ）が発生する波形となるため、この波形によって変動する電源電圧値を捉えることで、パルス幅変調率の予測計算制御を行うことができる。
また、図５（ａ）に示すように山形の波形となるインダクタ２ｅを通過した直後の電流に、平滑コンデンサ２ｆに貯められた電力を印加することで、図５（ｂ）に示すように、波形が平滑な電流をＬＥＤ照明器具３に供給することができる。
【００３３】
したがって、電流不連続モードでは、ＬＥＤ照明器具３への電流をオフ状態を存在させずに供給することができるため、点滅のないＬＥＤ照明を実現し、撮られる映像に対する悪影響を抑制できる。
【００３４】
本実施形態のＬＥＤ駆動装置Ａによると、ＬＥＤ電流の制御を制御部１で直接行うことによって、同一の回路で、ＬＥＤ駆動中に最適な制御方法の切り換えを行うことができる。
これによって、高いＡＣ／ＤＣ変換効率と安定した微小電流域でのＬＥＤ調光を行うことができる。
また、平滑回路２０ｃのインダクタ２ｅによって、直流出力に含まれる交流成分を流さないようにし、平滑コンデンサ２ｆによって、インダクタ２ｅを通過した直流電力の脈流を平滑にすることができる。
また、ＬＥＤ照明器具３の直流駆動が可能な回路を有するコンバータ部２を用いているので、撮られる映像に対する悪影響の抑制やＬＥＤ照明器具３からの高調波の放出の抑制ができる。
また、ひとつの制御部１で、複数のコンバータ部２を接続することで、複数のＬＥＤ３０の個別制御が可能となる。
【００３５】
［ＬＥＤ駆動装置の変形例（図示せず）］
ＬＥＤ駆動装置Ａは、予測制御部１ｄおよび第１の接続切換部１ｅと第２の接続切換部１ｆが備えられていない形態としてもよい。
この形態のＬＥＤ駆動装置Ａは、フィードバック制御部１ｂが直接演算制御部１ａおよび出力制御部１ｃに直接接続されたものであり、電流連続モードのみでコンバータ部２を駆動させてＬＥＤ駆動を行うようにしたものである。
この形態のＬＥＤ駆動装置Ａによっても、前述した実施形態のＬＥＤ駆動装置Ａの電流連続モードと同じようにＬＥＤ駆動を行うことができる。
【００３６】
以上、本発明に係る実施形態のＬＥＤ駆動装置を、図面を参照して詳述してきたが、具体的な構成は、これらの実施の形態に限られるものではなく、本発明の要旨を逸脱しない範囲の設計の変更等があっても本発明に含まれる。
【００３７】
また、前述の各実施形態は、その目的および構成等に特に矛盾や問題がない限り、互いの技術を流用して組み合わせることが可能である。
【符号の説明】
【００３８】
Ａ：ＬＥＤ駆動装置
１：制御部
２：コンバータ部
１ａ：演算制御部
１ｂ：フィードバック制御部
１ｃ：出力制御部
１ｄ：予測制御部
１ｅ：第１の接続切換部
１ｆ：第２の接続切換部
２ａ：第１のゲート駆動回路
２ｂ：第２のゲート駆動回路
２ｃ：出力側
２ｄ：負荷電流値検出部
２ｅ：インダクタ
２ｆ：平滑コンデンサ
２０ｃ：平滑回路
Ｐａ：第１の矩形波
Ｐａ１：オン領域
Ｐａ２：オフ領域
Ｐｂ：第２の矩形波
Ｐｂ１：オン領域
Ｐｂ２：オフ領域
Ｐｃ：第１の矩形波
Ｐｃ１：オン領域
Ｐｃ２：オフ領域
Ｐｄ：第２の矩形波
Ｐｄ１：オン領域
Ｐｄ２：オフ領域
Ｐｅ：矩形波
【要約】      （修正有）【課題】撮られる映像に対する悪影響を抑制する。【解決手段】ＬＥＤ駆動装置Ａは、制御部１とコンバータ部２を備える。電流連続モードにおいて、第１のゲート駆動回路２ａに送信されるＰＷＭ信号に基づく矩形パルス波のオン領域と、第２のゲート駆動回路２ｂに送信されるＰＷＭ信号に基づく矩形パルス波のオフ領域とを合致させることにより、ＬＥＤ照明器具３への電流を連続的に供給し、点滅のないＬＥＤ照明を実現し、撮られる映像に対する悪影響を抑制する。【選択図】図１【図１】
0006846836.tif 000002
【図２】
0006846836.tif 000003
【図３】
0006846836.tif 000004
【図４】
0006846836.tif 000005
【図５】
0006846836.tif 000006